(57)【要約】【課題】土寄せ後の耕土表面が均平になり、構造が複雑化せずにコスト上昇を抑え、使い勝手のよい代掻き作業機及び土寄せ作業方法を提供する。【解決手段】代掻き作業機１は、回転自在に支持されたロータリ作業部１３の上部を覆うシールドカバー１５と、この後端部に枢結されたエプロン１９と、この後端部に枢結されたレベラ２１を備える。シールドカバー１５とエプロン１９との間にエプロン１９の背面側への回動を規制する回動規制装置３０を設ける。この装置は、エプロン１９の表面側への回動を付勢するばね３７と、エプロン１９の回動規制位置の調整を行う位置調整部４０を備える。位置調整部４０は、エプロン１９に枢結されたロッド部３１の前端部に設けられたピン部材３５の移動を案内する長孔部４１と、ピン部材３５に当接してロッド部前端部の前側への移動を規制するアーム部４５と、アーム部４５の回動を制御するシリンダ部４７を備える。【選択図】図１
2008173060.tif 000002
【特許請求の範囲】
【請求項１】
耕耘作業を行うロータリ作業部を回転自在に支持する機体と、該機体に設けられ前記ロータリ作業部の上部を覆うカバー部と、該カバー部の後端部に回動可能に支持されたエプロンと、該エプロンの後端部に回動可能に支持されたレベラを備える代掻き作業機において、
土寄せ作業位置に移動させたエプロンの背面側への回動を規制する回動規制手段を設けることを特徴とする代掻き作業機。
【請求項２】
前記回動規制手段は、前記エプロンの背面側への回動に抗して前記エプロンを付勢する弾性体を有することを特徴とする請求項１に記載の代掻き作業機。
【請求項３】
前記回動規制手段は、前記エプロンの背面側への回動を規制する位置の調整を行う規制位置調整部を有することを特徴とする請求項１又は２に記載の代掻き作業機。
【請求項４】
耕耘作業を行うロータリ作業部を回転自在に支持する機体と、該機体に設けられ前記ロータリ作業部の上部を覆うカバー部と、該カバー部の後端部に回動可能に支持されたエプロンと、該エプロンの後端部に回動可能に支持されたレベラを備える代掻き作業機の土寄せ作業方法であって、
前記エプロンを土寄せ作業位置に位置決めし、前記機体の進行に伴って、前記ロータリ作業部が圃場の耕土を耕耘し、前記エプロンが耕耘された耕土の土寄せ作業を行い、前記レベラが土寄せされた耕土の整地作業を行うことを特徴とする代掻き作業機の土寄せ作業方法。
【発明の詳細な説明】
【技術分野】
【０００１】
本発明は、代掻き作業機及びこれを用いた土寄せ作業方法に関し、特に、ロータリ作業部によって耕耘された圃場の隅部に形成された盛り上がった土を土寄せ可能な代掻き作業機及び土寄せ作業方法に関する。
【背景技術】
【０００２】
従来、この種の代掻き作業機６０は、例えば、特許文献１に記載されており、図６（ａ）（部分平面図）に示すように、機体６１の一部を構成する装着フレーム６２の下方にロータリ作業部（文献では砕土体）を回転自在に設け、このロータリ作業部の上部を覆うシールドカバー１５（文献ではカバー体）を機体６１に設け、ロータリ作業部の後方側に位置したシールドカバー１５の後端部にロータリ作業部によって耕耘された耕土を整地する第１整地体６３を上下方向に回動可能に設け、第１整地体６３の後端部に第１整地体６３によって整地された耕土をさらに整地にする第２整地体６４を設けて構成されている。
【０００３】
この代掻き作業機６０の第１整地体６３は、機体６１に取り付けられた固定板等を介して耕土表面を圧着するように設けられている。第２整地体６４は、機体６１に設けられた切換操作手段６５を介して、第２整地体６４の上下方向の揺動をフリーな状態にする揺動自由位置と土寄せ作業位置に設定可能に設けられ、第２整地体６４が土寄せ作業位置に設定されると、第２整地体６４は上下方向に立った状態となって、強制的に圃場の耕土を掻き込んで移動することが可能になる。
【０００４】
また、特許文献２には、土寄せ作業を行うときに、土寄せを行う整地体を別途設ける代掻き作業機も知られている。この代掻き作業機７０は、図６（ｂ）（斜視図）に示すように、上部がシールドカバー１５によって覆われたロータリ作業部の後方側に、上下位置調整可能であって土寄せを行う第１整地体７１を設け、この第１整地体７１の後方側に上下動自在に設けられて圃場を整地する第２整地体７２を設けて構成されている。
【０００５】
【特許文献１】特開平９−９４００２号公報
【特許文献２】特開２００６−２０４１０８号公報
【発明の開示】
【発明が解決しようとする課題】
【０００６】
このような従来の代掻き作業機のうち、土寄せを行うときに第２整地体６４を立たせた状態にする代掻き作業機６０は、第２整地体６４の先端部が整地体幅方向に凹凸６６が連続して形成されており、第２整地体６４によって圃場の耕土を土寄せすると、土寄せ作業跡が筋状となり易い。また第２整地体６４の後方側に整地機構が存在しないので、圃場の耕土表面が粗くなるという問題が発生する。
【０００７】
また土寄せを行うときに第１整地体７１を設ける代掻き作業機７０は、この第１整地体７１が土寄せを行うために設けられており、シールドカバー１５の後端部に取り付けられたリヤカバー７３と第１整地体７１との間に土寄せの際に余った耕土を排出する排土開口部７４が形成され、リヤカバー７３の後端部に排土開口部７４を覆うゴム板製の排土開口カバー体７５が取り付けられているので、部品点数が多く、コストの上昇を招き、構造が複雑であり、使い勝手が悪いという欠点がある。
【０００８】
本発明は、このような問題に鑑みてなされたものであり、土寄せ後の耕土表面を均平に整地し、代掻き作業機の構造を複雑化することなく、コストの上昇を抑え、使い勝手がよい代掻き作業機及びこれを用いた土寄せ作業方法を提供することを目的とする。
【課題を解決するための手段】
【０００９】
このような課題を解決するため、本発明は、以下の特徴を有する。特徴の一つは、耕耘作業を行うロータリ作業部を回転自在に支持する機体と、該機体に設けられロータリ作業部の上部を覆うカバー部（例えば、実施形態におけるシールドカバー１５）と、該カバー部の後端部に回動可能に支持されたエプロンと、該エプロンの後端部に回動可能に支持されたレベラを備える代掻き作業機において、土寄せ作業位置に移動させたエプロンの背面側への回動を規制する回動規制手段（例えば、実施形態における回動規制装置３０）を設けることを特徴とする。
【００１０】
この特徴によれば、土寄せ作業位置に移動させたエプロンの背面側への回動を規制する回動規制手段を設けることにより、エプロンを土寄せ作業位置に移動させ、回動規制手段によってエプロンの背面側への回動を規制する。このため、エプロンを土寄せ作業位置に移動させた状態で機体が前進すると、エプロンは圃場の耕土を掻き込んで土寄せ作業を行うことができる。その結果、土寄せ後の耕土表面を均平に整地することができる。
【００１１】
また特徴の一つは、回動規制手段が、エプロンの背面側への回動に抗してエプロンを付勢する弾性体（例えば、実施形態におけるばね３７）を有することを特徴とする。
【００１２】
この特徴によれば、回動規制手段はエプロンの背面側への回動に抗してエプロンを付勢する弾性体を有することで、エプロンによる土寄せ作業時に、エプロンの表面側に滞留した土の量が増大した場合、滞留した土の量が所定量を超えると弾性体が縮んでエプロンを背面側に回動させることができる。このため、エプロンの表面側に滞留した余分な土の排出が可能となり、土寄せ作業の作業性の低下を未然に防止することができる。
【００１３】
また特徴の一つは、回動規制手段がエプロンの背面側への回動を規制する位置の調整を行う規制位置調整部（例えば、実施形態における位置調整部４０）を有することを特徴とする。
【００１４】
この特徴によれば、回動規制手段はエプロンの背面側への回動を規制する位置の調整を行う規制位置調整手段を有することで、エプロンによって圃場を整地する場合には、エプロンをより機体後方側に設定し、エプロンによって圃場の土寄せ作業をする場合には、エプロンを機体前方側に設定することができ、エプロンの回動規制位置調整が容易になって、代掻き作業機の使い勝手をより向上することができる。
【００１５】
また本発明の特徴は、耕耘作業を行うロータリ作業部を回転自在に支持する機体と、該機体に設けられロータリ作業部の上部を覆うカバー部と、該カバー部の後端部に回動可能に支持されたエプロンと、該エプロンの後端部に回動可能に支持されたレベラを備える代掻き作業機の土寄せ作業方法であって、エプロンを土寄せ作業位置に位置決めし、機体の進行に伴って、ロータリ作業部が圃場の耕土を耕耘し、エプロンが耕耘された耕土の土寄せ作業を行い、レベラが土寄せされた耕土の整地作業を行うことを特徴とする。
【００１６】
この特徴によれば、エプロンを土寄せ作業位置に位置決めして、機体の進行に伴って、ロータリ作業部が圃場の耕土を耕耘し、エプロンが耕耘された耕土の土寄せ作業を行い、レベラが土寄せされた耕土の整地作業を行うことにより、エプロンによる土寄せ作業跡を平らにすることができる。また、既存のエプロンを土寄せ作業に使用することで、土寄せするための新たな部材を設ける必要がなく、代掻き作業機の構造の複雑化を防止することができ、代掻き作業機のコストの上昇を抑えるとともに、使い勝手を向上することができる。
【発明の効果】
【００１７】
本発明に係わる代掻き作業機及び代掻き作業方法よれば、上記特徴を有することによって、土寄せ後の耕土表面を均平に整地し、代掻き作業機の構造が簡易で、コストの上昇を抑え、使い勝手がよい代掻き作業機及び土寄せ作業方法を提供することができる。
【発明を実施するための最良の形態】
【００１８】
以下、本発明に係わる代掻き作業機の実施形態を図１から図５に基づいて説明する。なお。説明の都合上、図１（側面図）及び図２（ａ）（平面図）に示す矢印の方向を前後方向及び左右方向として以下説明する。
【００１９】
代掻き作業機１は、図１（側面図）に示すように、左右方向に延びる主フレーム３を有した機体５の前部に、走行機体９０の後部に設けられた図示しない３点リンク連結機構に連結されるトップマスト７とロアーリンク連結部を設けて、走行機体９０の後部に対して昇降可能に装着される。主フレーム３の左右方向の中央部には前方へ突出する入力軸９ａを備えたギアボックス９が設けられ、走行機体９０のＰＴＯ軸からユニバーサルジョイント等の動力伝達手段を介して動力が入力軸９ａに伝達されるようになっている。
【００２０】
主フレーム３の左側端部には、チェーン伝動ケース１１が垂設され、主フレーム３の右側端部には側部フレームがチェーン伝動ケース１１と対向して垂設されている。チェーン伝動ケース１１に接続された主フレーム３の左側部及びチェーン伝動ケース１１内には伝動機構が設けられ、チェーン伝動ケース１１と側部フレームの下端部間に多数の耕耘爪を取り付けたロータリ作業部１３が回転自在に設けられている。そして、入力軸９ａに伝達された動力は、ギアボックス９を介して主フレーム３及びチェーン伝動ケース１１内の伝動機構に伝達されて、ロータリ作業部１３を所定方向に回転させる。
【００２１】
ロータリ作業部１３の上側はシールドカバー１５により覆われ、このシールドカバー１５の左右方向両端部には側部カバー１７が設けられている。シールドカバー１５の後端部には、エプロン１９の前端部が上下方向に回動自在に取り付けられて、エプロン１９は斜め下方に延びる。エプロン１９の後端部１９ａは左右方向に略直線状に形成されて、耕土表面を平らに整地する。エプロン１９の後端部には、レベラ２１が上下方向に回動自在に取り付けられて、レベラ２１はその下面が接地して耕土表面を均平にする。
【００２２】
機体５の左右両端部よりも中央部側のエプロン１９の背面とシールドカバー１５の上面との間には、エプロン１９の背面側への回動を規制する一対の回動規制装置３０が設けられている。この回動規制装置３０は、図１、図２（ａ）及び図２（ｂ）（背面図）に示すように、前後方向に延びてエプロン背面側に配置されたロッド部３１と、ロッド部３１の前端部の前側への移動を規制する位置の調整を行う位置調整部４０を備える。ロッド部３１は、その後端部がエプロン１９の背面に取り付けられた支持部材３３に対して回動自在及び摺動可能に取り付けられ、前端部に設けられたピン部材３５が位置調整部４０に設けられた長孔部４１に沿って移動可能に取り付けられている。
【００２３】
支持部材３３は、左右方向に対向して配設された一対の支持板３３ａを備え、これらの支持板３３ａ間には円柱状の回動部３４が回動自在に取り付けられている。この回動部３４にロッド部３１の後端部が摺動可能に挿通し、ロッド部３１の中間部に取り付けられたピン３６と回動部３４との間のロッド部３１に装着されて回動規制装置３０の一部であるばね３７によって、エプロン１９の背面側への回動を抑制している。ロッド部３１の中間部には、ピン３６を挿着するための挿着孔がロッド部３１の軸方向に所定間隔を有して複数設けられており、ピン３６の挿着位置を変更すると、自然長に延びるばね３７とピン３６との隙間の大きさ調整が可能となって、エプロン１９がフリーに回動できる範囲の調整が可能になる。
【００２４】
ロッド部３１の前端部に設けられた前述したピン部材３５は、その左右両端部がロッド部３１から突出した状態で取り付けられ、この突出した左右一対のピン部材３５が位置調整部４０に対向配置された長孔部４１に挿通されて、ロッド部３１の前端部が前後方向に移動可能に支持されている。
【００２５】
位置調整部４０は、シールドカバー１５に取り付けられた本体部４３と、本体部４３に前後方向に回動自在に取り付けられてロッド部３１のピン部材３５と当接してロッド部３１の前側端部の前側への移動を規制する位置を調整するアーム部４５と、本体部４３の上部に取り付けられてアーム部４５を回動させるシリンダ部４７とを有してなる。本体部４３は、左右方向に対向して配置された一対の本体側支持板４３ａを備え、各本体側支持板４３ａに前述した長孔部４１が前後方向に延びた状態で設けられている。この一対の本体側支持板４３ａ間に前述したロッド部３１の前側端部が配置されている。
【００２６】
一対の本体側支持板４３ａ間の上部には、ロッド側を後方側に配置し、ボトム側を前側に配置したシリンダ部４７が固定された状態で取り付けられている。シリンダ部４７のロッド側先端部には、平面視においてＵ字状の連結部材４９が取り付けられており、連結部材４９の先端部には一対の本体側支持板４３ａの各外側上端部に前後方向に回動自在に取り付けられたアーム部４５の中間部に回動自在に取り付けられている。このため、シリンダ部４７が伸長すると、アーム部４５はその下側が後方側に回動し、シリンダ部４７が縮小するとアーム部４５はその下側が前方側に回動する。シリンダ部４７は、油圧式や電動式のいずれのものでもよい。
【００２７】
アーム部４５は、その下側が長孔部４１よりも下方位置まで延び、ロッド部３１のピン部材３５と接触する接触部４５ａを有している。このため、接触部４５ａをピン部材３５に接触させた状態でシリンダ部４７の伸縮をロックすると、アーム部４５はロック状態となり、ピン部材３５の前側への移動を規制することができる。
【００２８】
アーム部４５は、シリンダ部４７が略全伸長状態になると、接触部４５ａが長孔部４１の後端位置の近傍に移動してピン部材３５を長孔部４１の後端位置に移動させ、シリンダ部４７が略全縮小状態になると、接触部４５ａが長孔部４１の前端位置の近傍に移動するように形成されている。
【００２９】
回動規制装置３０のシリンダ部４７は、走行機体９０に搭乗した作業者の操作スイッチの操作に応じて伸縮動が制御されるように構成されている。操作スイッチは、走行機体９０に搭乗した作業者が操作できる範囲内に設置されていればよく、走行機体９０の運転席や代掻き作業機１の前側部分に設置されてもよい。
【００３０】
なお、前述した実施形態では、回動規制装置３０を機体左右方向に一対設けた例を示したが、これに限るものではなく、回動規制装置３０を機体５に一つ設け、又は三つ以上設けてもよい。
【００３１】
次に、このように構成された代掻き作業機１によって土寄せ作業を行う場合の土寄せ作業方法について説明する。通常、水田の土寄せ作業は、圃場内側の代掻き作業によって圃場周囲に形成された盛り上がった耕土を寄せて凹凸をなくすための作業である。先ず、本願発明の代掻き作業機１によって寄せる耕土の量が少ない土寄せ作業について説明する。図３（側面図）に示すように、圃場表面に対するエプロン１９の傾き角度θが鋭角（図面ではθ＝約５０度）になる土寄せ作業位置Ｐｔにエプロン１９が位置するように、走行機体９０に搭乗した作業者が操作スイッチを操作して回動規制装置３０のシリンダ部４７を伸長させる。また走行機体９０の動力を入力軸９ａに伝達して、ロータリ作業部１３を所定方向に回転させる。そして、走行機体９０を前進走行させて代掻き作業機１を前進させると、ロータリ作業部１３によって圃場の耕土が耕耘され、回動規制装置３０によってエプロン１９の背面側への回動が規制されたエプロン１９によって耕耘された耕土が整地され、更にレベラ２１によって整地された耕土の表面が均平にされる。
【００３２】
また本願発明の代掻き作業機１によって寄せる耕土の量が多い土寄せ作業方法について説明する。先ず、図４（側面図）に示すように、エプロン１９が圃場表面に対して略起立した状態（図面ではエプロン１９の傾き角度θ＝約７０度）になる土寄せ作業位置Ｐｔにエプロン１９が位置するように、回動規制装置３０のシリンダ部４７を略全伸長状態にする。また走行機体９０の動力を入力軸９ａに伝達して、ロータリ作業部１３を所定方向に回転させる。そして、走行機体９０を前進走行させると、ロータリ作業部１３によって圃場の耕土が耕耘され、回動規制装置３０によってエプロン１９の背面側への回動が規制されて略起立状態のエプロン１９によって耕耘された耕土が土寄せされるとともに整地され、更にレベラ２１によって整地された耕土の表面が均平にされる。
【００３３】
ここで、エプロン１９の表面側に滞留する耕土の量が増加すると、エプロン１９の背面側への押圧力が増大してばね３７を縮小させる。その結果、エプロン１９が背面側に回動して余分な耕土を排出することができ、土寄せ作業の作業性の低下を未然に防止することができる。
【００３４】
なお、土寄せ作業を行わず、通常の代掻き作業を行う場合には、図５（側面図）に示すように、エプロン１９の回動をフリーな状態にする必要がある。この場合には、作業者は操作スイッチを操作して回動規制装置３０のシリンダ部４７を全縮状態に縮小して、アーム部４５の接触部４５ａを長孔部４１の前端よりも前側に移動させる。その結果、ロッド部３１の前端部は長孔部４１に沿って自由に前後方向に移動可能となって、エプロン１９の回動をフリーな状態にすることができる。この状態で走行機体９０を前進走行させると、ロータリ作業部１３によって圃場の耕土が耕耘され、エプロン１９によって耕耘された耕土が整地され、更にレベラ２１によって土寄せされた耕土の表面が均平にされて、通常の代掻き作業を行うことができる。
【００３５】
このように、代掻き作業機１に、エプロン１９の背面側への回動を規制する回動規制装置３０を設けることで、回動規制装置３０によって土寄せ作業位置に移動させたエプロン１９の背面側への回動を規制することができる。このため、土寄せ作業位置にエプロン１９を移動させた状態で代掻き作業機１が前進すると、エプロン１９によって土寄せ作業を行うことができ、レベラ２１によって土寄せ後の耕土表面を均平にすることができる。また、エプロン１９を土寄せ作業に利用するので、代掻き作業機１の使い勝手を向上することができる。また回動規制装置３０は、ばね３７が装着されたロッド部３１と位置調整部４０から構成される簡易な構造であるので、代掻き作業機１に回動規制装置３０を設けても作業機の構造が複雑化することはなく、コストの上昇を抑えることができる。
【００３６】
さらに、回動規制装置３０は、エプロン１９の背面側への回動を規制する位置の調整を行う位置調整部４０を有することで、エプロン１９の作業内容に応じたエプロン１９の回動規制位置調整を行うことができ、代掻き作業機１の使い勝手をより向上することができる。
【００３７】
なお、位置調整部４０のシリンダ伸縮方向は前述した実施例に限るものではなく、逆方向にしてもよい。この場合には、シリンダ部４７が伸長するとエプロン１９の傾き角度θが緩くなり、シリンダ部４７が縮小するとエプロン１９の傾き角度θがきつくなるようにする。また、代掻き作業機１は、前述した実施形態に限るものではなく、エプロン１９の左右方向の両側部が折り畳み自在に構成されたものでもよい。この場合、エプロン１９の左右方向の中央部に配置されたエプロン本体部に回動規制装置３０を接続し、エプロン本体部の左右方向両端部に接続された延長エプロンは、エプロン本体部に連動して回動するように構成する。このように構成することで、前述した代掻き作業機１と同様に、土寄せ後の耕土表面が均平に整地され、代掻き作業機の構造を複雑化することなく、コストの上昇を抑えることができ、使い勝手を向上することができる。
【００３８】
また、前述した実施例では、位置調整部４０のシリンダ伸縮方向を土寄せ作業を行うときのエプロン１９の傾き角度θが約５０°にあるときと約７０°にあるときを示したが、これに限るものではなく、ロッド部３１の前端部の前側への移動が位置調整部４０のアーム部４５によって規制されている限り、本願発明の代掻き作業機１は、エプロン１９によって土寄せ作業が可能であり、エプロン１９の傾き角度θが約５０°〜約７０°の間や約５０°よりも小さくても、土寄せ作業を行うことができる。更には、圃場条件によっては、土寄せ機能を使用しながらの代掻き作業を行うこともできるものである。
【図面の簡単な説明】
【００３９】
【図１】本発明の一実施形態に係わる代掻き作業機の側面図を示す。
【図２】本発明の一実施形態に係わる代掻き作業機を示し、同図（ａ）は代掻き作業機の左側の部分平面図であり、同図（ｂ）は代掻き作業機の左側の部分背面図である。
【図３】代掻き作業機に設けられた回動規制装置の作動を説明するための代掻き作業機の部分側面図を示す。
【図４】代掻き作業機に設けられた回動規制装置の作動を説明するための代掻き作業機の部分側面図を示す。
【図５】通常の代掻き作業時にあるときの回動規制装置の作動を説明するための代掻き作業機の部分側面図を示す。
【図６】従来の代掻き作業機を示し、同図（ａ）は代掻き作業機の部分平面図であり、同図（ｂ）は他の代掻き作業機の背面側の部分斜視図である。
【符号の説明】
【００４０】
１  代掻き作業機
５  機体
１３  ロータリ作業部
１５  シールドカバー（カバー部）
１９  エプロン
２１  レベラ
３０  回動規制装置（回動規制手段）
３７  ばね（弾性体）
４０  位置調整部（規制位置調整部）
Ｐｔ  土寄せ作業位置
【図１】
2008173060.tif 000003
【図２】
2008173060.tif 000004
【図３】
2008173060.tif 000005
【図４】
2008173060.tif 000006
【図５】
2008173060.tif 000007
【図６】
2008173060.tif 000008